(57)【要約】  【課題】ハードディスクをリカバリーするときに、システム用のパーティションだけリカバリーするのか、データ用のパーティションまでリカバリーするのかを選択して処理することを可能にするリカバリー方法の提供。  【解決手段】本発明のハードディスクのリカバリー方法は、処理対象のハードディスクが、ＯＳ用のシステム用のパーティションと、データ用のデータパーティションに分割されている場合に、前記システム用のパーティションだけリカバリーして前記データ用のパーティションはリカバリーしない第１リカバリー手順（ステップＳ４、41）と、前記システム用のパーティションも前記データ用のパーティションもリカバリーする第２リカバリー手順（ステップＳ３、31）の２つの手順を含むとともに、前記第１リカバリー手順と第２リカバリー手順の何れか一方を選択する選択手順（ステップＳ１、２）を含んでいることを特徴とするものである。【選択図】      図４
2005242536.tif 000002
【特許請求の範囲】
【請求項１】
ハードディスクの所定のパーティションをフォーマットして所定のＯＳをインストールするリカバリー方法において、
処理対象のハードディスクが、ＯＳ用のシステム用のパーティションと、データ用のデータパーティションに分割されている場合に、
前記システム用のパーティションだけリカバリーして前記データ用のパーティションはリカバリーしない第１リカバリー手順と、
前記システム用のパーティションも前記データ用のパーティションもリカバリーする第２リカバリー手順と、
前記第１リカバリー手順と第２リカバリー手順の何れか一方を選択する選択手順と
を含んでいることを特徴とするハードディスクのリカバリー方法。
【発明の詳細な説明】
【技術分野】
【０００１】
本発明は、ひとつのハードディスクドライブを複数のパーティション領域に分けて使用しているコンピュータのシステムリカバリーの方法に関するものである。
【背景技術】
【０００２】
従来より、ひとつのハードディスクドライブ（以下単にＨＤＤと表記する。）が接続されたWindows(MicroSoft社商標)パソコン等のPC/AT(IBM社商標)互換機等のコンピュータにおいては、前記ＨＤＤを複数の領域(パーティション)に分けて、例えばシステム用のパーティションとしてのＣドライブと、データ用のパーティションとしてのＤドライブとして使用することができる。当然、３つ以上のパーティションに分けることもできる。
その場合には、ＣドライブにはＯＳ（Operating System)やアプリケーション等のシステムプログラムを主に書き込み、Ｄドライブには前記アプリケーションで使用される画像データや文書データ等を書き込むように決めて使用することがある。
しかし、当該コンピュータを長期間使用しているとフリーズしやすくなったりして、システムが不安定になる場合がある。
このような場合には、所定のリカバリーの手順に従ってＨＤＤをフォーマットして、再度ＯＳをインストールし直すことが効果的である。
なお、ここでいう「リカバリー」とは、システム用のパーティションの場合には、当該パーティションをフォーマット（初期化）して初期状態と同じようにＯＳのみがインストールされた状態にし、データ用のパーティションの場合にはフォーマットして全データを消去する処理をいうものとする。
【発明の開示】
【発明が解決しようとする課題】
【０００３】
ところが、上述したように、所定のリカバリーの手順に従ってＨＤＤをフォーマットして、再度ＯＳをインストールし直す場合には、Ｃドライブだけでなく、Ｄドライブもフォーマットされてしまう。
従って、Ｄドライブのデータは予め別の記憶媒体等にバックアップしておく必要がある。データをバックアップした後にリカバリーして、ＣドライブにはＯＳとアプリケーションをインストールし、Ｄドライブにはバックアップしていたデータを復元コピーすることが行われている。
即ち、Ｄドライブのデータをバックアップする手間と、再び復元コピーする手間がかかるという問題がある。
また、作業ミスで貴重なデータが消滅してしまうという危険性もある。
【０００４】
そこで、本発明は、ハードディスクをリカバリーするときに、システム用のパーティションだけリカバリーするのか、データ用のパーティションまでリカバリーするのかを選択して処理することを可能にするリカバリー方法の提供を目的としてなされたものである。
【課題を解決するための手段】
【０００５】
本発明にかかるハードディスクのリカバリー方法は、
ハードディスクの所定のパーティションをフォーマットして所定のＯＳをインストールするリカバリー方法において、
処理対象のハードディスクが、ＯＳ用のシステム用のパーティションと、データ用のデータパーティションに分割されている場合に、
前記システム用のパーティションだけリカバリーして前記データ用のパーティションはリカバリーしない第１リカバリー手順と、
前記システム用のパーティションも前記データ用のパーティションもリカバリーする第２リカバリー手順と、
前記第１リカバリー手順と第２リカバリー手順の何れか一方を選択する選択手順と
を含んでいることを特徴とするものである。
【発明の効果】
【０００６】
本発明によれば、
システム用のパーティションだけリカバリーしてデータ用のパーティションはリカバリーしない第１リカバリー手順と、前記システム用のパーティションもカバリーして前記データ用のパーティションはリカバリーしない第２リカバリー手順の何れか一方を選択する選択手順を含んでいるので、
データ用のパーティションに保存されているデータを消去したくない場合には、
第１リカバリー手順によって、システム用のパーティションだけをリカバリーすることができ、データの退避および復元の手間が省けるという効果が得られる。
また、データ用のパーティションに保存されているデータも消去して全てを初期状態に戻したい場合には、第２リカバリー手順によって、システム用のパーティションとデータ用のパーティションの両方をリカバリーすることができる。
【発明を実施するための最良の形態】
【０００７】
以下に、本発明にかかるハードディスクのリカバリー方法を、その実施の形態を示した図面に基づいて詳細に説明する。
図１において、１は写真処理システムであり、現像済みのフィルムの画像を読み取るスキャナ11と、前記スキャナでよって読み取った画像データや、記憶媒体から読み取った画像データを画像処理して出力するパソコンＰＣと、前記パソコンＰＣから出力された画像データをプリントデータに変換して印画紙に焼き付けて現像処理する焼き付け現像処理部12とを備えている。
【０００８】
前記パソコンＰＣは、図２に示したように、ＣＰＵ３と、キーボードやマウス等の入力装置４と、ハードディスク５と、ＣＤ−Ｒ／ＷやＤＶＤ−ＲＡＭを読み書きできるドライブ装置61と各種メモリカード等を読み書きできるカードドライブ装置62と、画像データ等を入出力するためのＬＡＮ等の通信装置７と、ディスプレイ装置８等を備えている。
操作者は、前記入力装置４を操作して種々の編集条件や画像処理条件等を入力して画像処理の指示を前記ＣＰＵ３に与える。前記ハードディスク５は、１つの大容量のハードディスクが例えば２つのパーティション５Ｃ，５Ｄに分割されており、一方のパーティション５Ｃはシステム用のパーティションでありＣドライブとして設定され、他方のパーティション５Ｄはデータ用のパーティションでありＤドライブとして設定されている。
【０００９】
前記焼き付け現像処理部12は、前記パソコンＰＣから出力される画像データに基づいて印画紙に焼き付けるとともに、所定の薬液によって現像して、仕上がりプリントとして排出するように構成されている。
【００１０】
次に、前記パソコンＰＣの動作及び、前記ハードディスク５の構成を詳細に説明する。
前記システム用のパーティションであるＣドライブ５Ｃには、ＯＳとして例えば、Windows−2000(MicroSoft社商標)がインストールされ、さらに、画像処理用のアプリケーションがインストールされている。そして、当該パソコンＰＣの起動時には前記Windows−2000(MicroSoft社商標)が起動して、前記画像処理用のアプリケーションが立ち上がるように設定されている。
【００１１】
前記パソコンＰＣは、専用のリカバリーＣＤを、ドライブ装置61にセットするとリカバリープログラムが起動して図３に示したようなリカバリーメニューが表示される。
【００１２】
次に、リカバリープログラムの動作の要部を、図４に示したフローチャートに基づいて説明する。
ステップＳ１においては図３に示したようなリカバリーメニューが表示される。
ステップＳ２において、リカバリーメニューの「１．アーカイブ画像データも消去します。」が選択されるとステップＳ３へ進み、リカバリーメニューの「２．アーカイブ画像データは消去しません。」が選択されるとステップＳ４へ進み、リカバリーメニューの「３．何もせずに戻る。」が選択されるとステップＳ５へ進む。
【００１３】
ステップＳ３においては、「アーカイブ画像データも消去します。よろしいですか？＜Ｙ＞，＜Ｎ＞」と確認を促し、「Ｎ」が選択されるとステップＳ１に戻り、「Ｙ」が選択されるとステップＳ31へ進む。ステップＳ31では、システム用のパーティションであるＣドライブ５Ｃと、データ用のパーティションであるドライブ５Ｄの両方をフォーマット（初期化）して、Ｃドライブ５ＣへのＯＳとアプリケーションのインストールを開始する。
【００１４】
ステップＳ４においては、「アーカイブ画像データは消去せずに、プログラムだけを消去します。よろしいですか？＜Ｙ＞，＜Ｎ＞」と確認を促し、「Ｎ」が選択されるとステップＳ１に戻り、「Ｙ」が選択されるとステップＳ41へ進む。ステップＳ41では、システム用のパーティションであるＣドライブ５Ｃだけをフォーマット（初期化）して、Ｃドライブ５ＣへのＯＳとアプリケーションのインストールを開始する。
ステップＳ５においては、リカバリープログラムを終了させて、前記画像処理用のアプリケーションが起動する。
前記ステップＳ１、２は特許請求の範囲に記載された選択手順に相当し、前記ステップＳ３は第２リカバリー手順に相当し、前記ステップＳ４は第１リカバリー手順にそれぞれ相当している。
【実施例１】
【００１５】
本発明の実施例においては、
リカバリーＣＤには、リカバリープログラムが自動実行形式で書き込まれており、インストールするＯＳとしてはWindows−2000(MicroSoft社商標)が設定されている。
また、前記リカバリーＣＤには、リカバリープログラムだけでなく、ＯＳとアプリケーションのインストールファイルまで書き込んでおくことも可能である。この場合には、インストールするためにＣＤを入れ替えたりする手間が省けるという効果も得られる。
なお、ひとつのハードディスクに複数のパーティションを設定した場合で説明したが、複数のハードディスクを備えたパソコンの場合であっても同様に、データ用のパーティションもしくはデータ用のハードディスクまでリカバリーするか否かを選択できるようにすることができる。
【産業上の利用可能性】
【００１６】
以上の実施の形態では、写真処理システムに用いるパソコンＰＣをリカバリーする場合で説明したが、本発明は、写真処理システムだけでなく、他の分野の画像処理用のパソコンや、データ処理用のパソコンに利用することもできる。
【図面の簡単な説明】
【００１７】
【図１】本発明にかかるハードディスクのリカバリー方法を採用した写真処理システムの実施の形態の構成を示した構成図である。
【図２】前記ハードディスクのリカバリー方法を採用したパソコンの構成図である。
【図３】前記ハードディスクのリカバリー方法を採用したパソコンの画面表示例である。
【図４】前記パソコンのリカバリープログラムのフローチャートである。
【符号の説明】
【００１８】
ＰＣ  パソコン
１  写真処理システム
11  スキャナ
12  現像処理部
３  ＣＰＵ
４  入力装置
５  ハードディスク
61  ドライブ装置
62  カードドライブ装置
７  入出力装置
８  ディスプレイ装置
５Ｃ  システム用のパーティション、Ｃドライブ
５Ｄ  データ用のパーティション、Ｄドライブ
【図１】
2005242536.tif 000003
【図２】
2005242536.tif 000004
【図３】
2005242536.tif 000005
【図４】
2005242536.tif 000006